(57)【要約】【課題】  簡易且つ迅速に装着することができるエクステンションを提供すること。【解決手段】  糸を編合わせて構成された略水平状のベース部１と、該ベース部１の全長に亘って垂下状に装着された自然又は人工の毛髪部２と、髪の毛に固定するための複数の上向きのピン３ｂ，３ｂ，…を有する止着具Ｂとからなること。該止着具Ｂは前記ベース部１に適宜の間隔をおいて複数装着されてなること。前記止着具Ｂは、複数のピンを略櫛形状に配置された押え板部３と、該押え板部３を凸面状態から凹面状態に弾性的に変化させる固定用弾性板４とからなること。【選択図】      図１
2006070376.tif 000002
【特許請求の範囲】
【請求項１】
糸を編合わせて構成された略水平状のベース部と、該ベース部の全長に亘って垂下状に装着された自然又は人工の毛髪部と、髪の毛に固定するための複数の上向きのピンを有する止着具とからなり、該止着具は前記ベース部に適宜の間隔をおいて複数装着されてなることを特徴とするエクステンション。
【請求項２】
請求項２において、前記止着具は、複数のピンを略櫛形状に配置された押え板部と、該押え板部を凸面状態から凹面状態に弾性的に変化させる固定用弾性板とからなることを特徴とするエクステンション。
【請求項３】
請求項２において、前記止着具のピンの軸方向は、前記ベース部の水平方向軸に対して適宜の角度を有してなることを特徴とするエクステンション。
【請求項４】
請求項１，２又は３において、前記止着具は、３又は４個装着されてなることを特徴とするエクステンション。
【発明の詳細な説明】
【技術分野】
【０００１】
本発明は、簡易且つ迅速に装着することができるエクステンションに関する。
【背景技術】
【０００２】
近年、美容院では、エクステンションによる毛髪の取付けがさかんに行なわれている。このエクステンションの取付には、専用の接着手段も存在している。しかしながら、その接着手段の多くは、接着剤や、この接着剤を熱で溶かしてエクステンションを接着するツール等が必要である。また、その取付手段は、一般には、編み込んでゴムで止めたり、リングでかしめている。
【特許文献１】実開平５−２７０１６号
【発明の開示】
【発明が解決しようとする課題】
【０００３】
このようなエクステンションの取付を、接着剤による場合は、専門の技術を有する者が行なわなくてならない。また、たとえ個人が一人で行なう場合には、その仕上がりが悪くなるし、また、仕上がりを補修するにしても、個人では到底できるものではない。最悪の場合には、専門の技術を有する者でも補修が困難になり、そのために費用及び時間がかかることになる。
【０００４】
その他に、接着剤は特殊な薬剤であり、その使用方法を誤ると、人体に悪影響を及ぼすおそれも十分にある。これらのことから、接着剤を使用しないものとして、特許文献に開示されているように、縁部材に擬毛を植毛したものが存在する。これは、縁部材を使用者が頭部に被るようにして装着するものである。また、エクステンションを自毛とともに編み込んでゴムで止めたり、又はリングでかしめる手段も、実際に一人で鏡を見ながら行なうには極めて困難な作業となる。
【０００５】
ところで、特許文献１においては、図面に開示されているように、縁部材は複数の環から構成され、それぞれの環同士が別の部材で連結されたものである。このようなものを頭部に被ると、たとえ頭髪が環と環との間から露出して、縁部材に装着された擬毛と混ざり合ったとしても、その縁部材は、極めて目立ち易いものであると言わざるを得ない。また、複数の縁部材を装着すれば、使用者は、煩わしさを感じるものであると思われる。本発明の目的は、エクステンションを極めて簡単に装着することができるとともに、使用感を良好なものとし、また接着剤等による頭部への悪影響をも防止することにある。
【課題を解決するための手段】
【０００６】
そこで、発明者は、上記課題を解決すべく鋭意，研究を重ねた結果、請求項１の発明を、糸を編合わせて構成された略水平状のベース部と、該ベース部の全長に亘って垂下状に装着された自然又は人工の毛髪部と、髪の毛（自毛）に固定するための複数の上向きのピンを有する止着具とからなり、該止着具は前記ベース部に適宜の間隔をおいて複数装着されてなるエクステンションとしたことにより、上記課題を解決したものである。
【０００７】
また、請求項２の発明を、前述の構成において前記止着具は、複数のピンを略櫛形状に配置された押え板部と、該押え板部を凸面状態から凹面状態に弾性的に変化させる固定用弾性板とからなるエクステンションとしたことにより、上記課題を解決したものである。さらに、請求項３の発明を、前述の構成において、前記止着具のピンの軸方向は、前記ベース部の水平方向軸に対して適宜の角度を有してなるエクステンションとしたことにより、上記課題を解決したものである。またさらに、請求項４の発明を、前述の構成において、前記止着具は、３又は４個装着されてなるエクステンションとしたことにより、上記課題を解決したものである。
【発明の効果】
【０００８】
請求項１の発明によれば、エクステンションは、複数の上向きの設けた止着具により、頭部装着箇所の自毛に対して、下方から上方に向かって差し込むようにするのみで、簡易且つ迅速に頭部に装着することができる。これによって、専門の技術を備えた者でなくとも、使用者個人にて、エクステンションの装着が簡単にできるようになっている。次に、請求項２の発明によれば、エクステンションの止着具は、複数のピンが略櫛形状に配置され、略円弧状態にある押え板部が、固定用弾性板によって凸面状態から凹面状態に変化させるものであり、これによって、エクステンションを極めて簡単に毛髪に略瞬時に装着することができる。
【０００９】
請求項３の発明によれば、ピンの軸方向と毛髪のラインとの交差部分がより一層広範囲となり、止着具が毛髪に対して強固に固定され、ひいてはエクステンションが頭部に強固に固定されることになる。また、請求項４の発明によれば、前記止着具は、３又は４個装着されており、エクステンションを頭髪に装着する場合に特に安定した状態で且つ型崩れしにくい状態にすることができる。
【発明を実施するための最良の形態】
【００１０】
以下、本発明を図面に基づいて説明する。本発明の構成は、図１（Ａ），（Ｂ）に示すように、ベース部１，止着具Ｂ及び毛髪部２とから構成される。前記ベース部１は、糸を編み合わせるようにして、毛髪部２が装着される。具体的には、前記ベース部１の全長に亘って多数本の毛髪が前記ベース部１を構成する糸材により、植毛されるようにして装着されている。また、その毛髪部２は、前記ベース部１の全長に亘って垂下状に装着されるものである。前記ベース部１は、１本の線又は紐状として見ると、使用する場合には、これを水平状（略水平状を含む）とする。
【００１１】
そのベース部１は、このエクステンションを使用する者の後頭部への装着箇所に応じて、種々の長さに設定される。特に、本発明では、２種類のサイズのエクステンションから構成されるセットが推奨されるものであって、その１つは、図１（Ａ）及び図７（Ａ），（Ｂ）に示すように、後頭部正面着する正面部エクステンションＡ1 である。もう一つは、図１（Ｂ）及び図７（Ｃ），（Ｄ）に示すように、後頭部後方側面に装着される側部エクステンションＡ2 である。その正面部エクステンションＡ1 は、前記側部エクステンションＡ2 よりも毛髪部２の面積が広くなっている。したがって、正面部エクステンションＡ1 のベース部１の長さは、側部エクステンションＡ2 のベース部１よりも長く形成される。これによって、正面部エクステンションＡ1 に装着される止着具Ｂの数も側部エクステンションＡ2 よりも多くなる。
【００１２】
次に、止着具Ｂは、図２乃至図４に示すように、押え板部３と固定用弾性板４とから構成される。その押え板部３は、基板片３ａに、複数のピン３ｂ，３ｂ，…が形成されたものである。その基板片３ａには、前記固定用弾性板４が連結固着されている。その基板片３ａと固定用弾性板４とは、ともに円弧状に形成され、弾性を有している。さらに、その固定用弾性板４は、円弧状の凸面状態から凹面状態に変化させることで、前記押え板部３も同様に凸面状態から凹面状態に弾性的に変化させることができる〔図４（Ａ），（Ｂ）参照〕。
【００１３】
これによって、前記押え板部３のピン３ｂ，３ｂ，…と固定用弾性板４とが当接した状態に維持したり〔図３（Ａ），（Ｂ），図４（Ａ）参照〕、又は離間した状態に維持させることができる〔図３（Ｃ），（Ｄ），図４（Ｂ）参照〕。そして、本発明のエクステンションを毛髪に装着する場合には、ピン３ｂ，３ｂ，…と固定用弾性板４とを離間した状態にして頭部の適正位置に配置され、前記固定用弾性板４の円弧の突出方向と反対側に圧力をかけることで、前記ピン３ｂ，３ｂ，…と固定用弾性板４とが当接し、前記ピン３ｂ，３ｂ，…と固定用弾性板４によって、使用者の髪の毛（自毛）を挟むようにして、固定されるものである。その固定用弾性板４には、樹脂材からなるチューブにより被覆され、使用者の髪の毛（自毛）を保護することもある。
【００１４】
この止着具Ｂは、通常、前記正面部エクステンションＡ1 には、図１（Ａ）に示すように、４個装着され、側部エクステンションＡ2 には、図１（Ｂ）に示すように、３個装着される。また、装着される止着具Ｂは、等間隔にて装着されることが好ましい。さらに、前記止着具Ｂのピン３ｂ，３ｂ，…の軸方向は、前記ベース部１の水平方向軸に対して適宜の角度θを有するようにしている。すなわち、前記ベース部１を水平方向に緊張状態にさせた状態で、前記ピン３ｂの軸方向が、垂直方向から僅かにベース部１側に倒れた状態となるように止着具Ｂをエクステンションのベース部１に装着することが好ましい（図５参照）。
【００１５】
このようにするためには、止着具Ｂの押え板部３の基板片３ａを前記ベース部１の水平方向に対する角度θ（図５参照）は、１度から１０度程度の範囲で装着される。さらに好ましくは、３度乃至５度が好適である。これは、前記ベース部１の水平方向に対する垂直軸に対してピン３ｂ，３ｂ，…が１度から１０度傾くことである。これによって、止着具Ｂを髪の毛（自毛）に装着した場合に、ピン３ｂ，３ｂ，…の軸方向と髪の毛（自毛）のライン方向との交差部分がより一層広範囲となり、止着面積が拡がり、そのエクステンション（正面部エクステンションＡ1 及び側部エクステンションＡ2 ）が毛髪に対して強固に固定されることになる。このような止着具Ｂとベース部１との接合は、樹脂材を接触箇所に被覆するようにして固着するものである。
【００１６】
次に、本発明の正面部エクステンションＡ1 及び側部エクステンションＡ2 からなるエクステンションの装着方法について説明する。まず、前段階として、図６（Ａ），図８（Ａ）に示すように、使用者の後頭部側で上下にブロッキングを形成し、上下２つの髪の領域を構成する。このとき上部側ブロッキング１０は、図８（Ａ）に示すように、ヘアクリップ１３でまとめておく。さらに、図７（Ａ），図８（Ｂ）に示すように、下部側ブロッキング１１に正面部エクステンションＡ1 を配置する。そして、下部側ブロッキング１１の最上部箇所に止着具Ｂの押え板部３のピン３ｂ，３ｂ，…を差し込み固定用弾性板４の凹凸方向を変更させて、固定用弾性板４をピン３ｂ，３ｂ，…に当てて、図６（Ｂ），図７（Ｂ），図８（Ｃ）に示すように、正面部エクステンションＡ1 が下部側ブロッキング１１の髪の毛（自毛）に固定される。
【００１７】
次に、前記上部側ブロッキング１０の下方の一部の髪の毛（自毛）を開放して、図６（Ｃ），図９（Ａ）に示すように、前記正面部エクステンションＡ1 の上にかかるようにセットされる。ここで、前記上部側ブロッキング１０の下端箇所は、頭頂部側寄りに向かって位置が変化することになる。そして、図９（Ｂ）に示すように、上部側ブロッキング１０の髪の毛の一部を装着された前記正面部エクステンションＡ1 側に降ろすことにより形成された新たな下部側ブロッキング１１の最上部箇所に側部エクステンションＡ2 の止着具Ｂのピン３ｂ，３ｂ，…を差し込むようにして、髪の毛（自毛）に側部エクステンションＡ2 が装着される。
【００１８】
この側部エクステンションＡ2 は、図７（Ｃ），（Ｄ）及び図１０（Ａ）に示すように、前記正面部エクステンションＡ1 の幅方向の両側箇所に位置するようにして頭部に装着されることになる。最後に、図１０（Ａ）に示す状態における上部側ブロッキング１０からヘアクリップ１３を外して開放し、図１０（Ｂ）に示すように、前記両側部エクステンションＡ2 ，Ａ2 に髪の毛（自毛）を交わらせることで、セットが完了する。
【００１９】
以上が本発明に係るエクステンションの装着方法の１パターンである。この作業は、美容師等の専門家が行なうこともあるが、使用者個人も三面鏡等を見てセットすることができ、しかも極めて簡単にできるものである。また、そのセットに当たって、接着剤及び工具等は一切不要であり、慣れれば極めて短時間で完了するものである。また、エクステンションに装着された止着具Ｂの複数のピン３ｂ，３ｂ，…は上方に向かって伸びる形状であるために、エクステンションの髪の毛への装着は常時下方から行なうことができ、装着作業におけるピン３ｂ，３ｂ，…の状態と髪の毛の状態とを三面鏡等によって見ながら極めて簡単にできる。
【００２０】
また、本発明におけるエクステンションは、前述したように、止着具Ｂのピン３ｂ，３ｂ，…を常時上方に向かって伸びるように装着しているので、エクステンションを髪の毛に装着したときに、ベース部１から毛髪部２が垂下状になっているので、毛髪部２がすなおに下方に垂れることになり、毛髪部２の根元箇所に不要な膨らみが発生しにくく、装着者の髪の毛との馴染みが極めて良好になる。
【図面の簡単な説明】
【００２１】
【図１】（Ａ）は正面部エクステンションの正面図、（Ｂ）は側部エクステンションの正面図である。
【図２】本発明の止着具箇所の拡大背面図である。
【図３】（Ａ）は当接状態の止着具箇所の斜視図、（Ｂ）は（Ａ）のＸ1 −Ｘ1 矢視断面図、（Ｃ）は離間状態の止着具箇所の斜視図、（Ｄ）は（Ｃ）のＸ2 −Ｘ2 矢視断面図である。
【図４】（Ａ）は止着具の当接状態の平面図、（Ｂ）は止着具の離間状態の平面図である。
【図５】ベース部と止着具との角度の関係を示す拡大図である。
【図６】（Ａ）乃至（Ｃ）は本発明の側面より見た装着工程の略示図である。
【図７】（Ａ）乃至（Ｄ）は本発明の平面より見た装着工程の略示図である。
【図８】（Ａ）は上下にブロッキングを構成した工程図、（Ｂ）は正面部エクステンションを装着している工程図、（Ｃ）は正面部エクステンションの装着が完了した工程図である。
【図９】（Ａ）は装着された正面部エクステンションにブロッキングから自毛を下ろして交じり合わせた状態図、（Ｂ）は側部エクステンションを装着している工程図である。
【図１０】（Ａ）は後頭部両側に側部エクステンションを装着した状態図、（Ｂ）はセットが完了した状態図である。
【符号の説明】
【００２２】
Ｂ…止着具
１…ベース部
２…毛髪部
３…押え板部
３ｂ…ピン
４…固定用弾性板
【図１】
2006070376.tif 000003
【図２】
2006070376.tif 000004
【図３】
2006070376.tif 000005
【図４】
2006070376.tif 000006
【図５】
2006070376.tif 000007
【図６】
2006070376.tif 000008
【図７】
2006070376.tif 000009
【図８】
2006070376.tif 000010
【図９】
2006070376.tif 000011
【図１０】
2006070376.tif 000012